(57)【特許請求の範囲】
【請求項１】
天壁に少なくとも切欠窓と側壁に水平なスリット状開口部と底壁の内面に前記スリット状開口部と平行な凸部とを有する容器本体と、前記スリット状開口部から突出する摘まみ部を有する本体部の他端にヒンジ部を介して前記底壁側に折返された脚部と前記脚部の前記ヒンジ部側に前記脚部から突出する先尖りの突起部とを有する板状部材と、前記底壁の内面に敷設される吸液保持材と、前記板状部材上に置かれる常温揮散性薬液入り包装体とを備えた容器において、前記板状部材の脚部は前記ヒンジ部と対向する端部が前記凸部と係合し、前記摘まみ部を前記スリット状開口部から乖離する方向に移動することにより前記端部を支点として前記脚部とこれから突出する前記突起部が前記凸部に当接する方向に回動することにより前記突起部が前記天壁に近接して前記突起部で前記包装体を破袋する構成としたことを特徴とする容器。
【請求項２】
前記包装体は、上面とその略中央部に形成された薬液を収容する凹部とを備えた成形体と、該成形体の前記上面と熱接着することにより前記凹部を密封するように設けられるシート状蓋体とから構成され、前記シート状蓋体が前記板状部材と当接して置かれていることを特徴とする請求項１記載の容器。
【発明の詳細な説明】
【０００１】
【発明の属する技術分野】
本発明は、殺虫、防虫、害虫忌避、芳香、消臭等の常温揮散性薬液が収容された密封包装体を収納すると共に、使用時には密封包装体をワンアクションで開封して一定期間安定して徐々に空気中に放出することができる容器に関する。
【０００２】
【従来の技術】
従来、殺虫、防虫、害虫忌避、芳香、消臭等を目的として、揮散性薬液を入れた容器が多数提案されると共に市販されている。この代表的なものの一つとして、芳香剤容器がある。この芳香剤容器は、使用時までは中栓等で密封されており、使用時になって始めて揮散性芳香薬液が収容された容器本体から外蓋を外して容器本体を密封している中栓等を取り除き、その後に外蓋（吸液芯を備えている）を再度装着することにより、吸液芯を容器本体内の揮散性芳香薬液に浸し、これにより揮散性芳香薬液を吸液芯に導き、吸液芯から揮散性芳香薬液を室内に放出させて芳香効果を得るものである。
【０００３】
また、他の代表的なものとして、液体式電気蚊取り器がある。この液体式電気蚊取り器は、加熱揮散性殺虫薬液が収容されると共に加熱揮散性殺虫薬液に浸された吸液芯を備えた外蓋で密封された容器と別体の加熱揮散器とからなり、使用時になって始めて加熱揮散性殺虫薬液が収容された容器の外蓋を外して加熱揮散器に容器を装着し、これにより露出した吸液芯を加熱揮散器に備えた発熱体により加熱して吸液芯から加熱揮散性殺虫薬液を室内に放出させて殺虫効果を得るものである。
【０００４】
上記に例示したものはいずれも、使用時の操作が上記したように結構煩雑であって使用状態にセットするまでの手間が結構かかると共に、薬液が手指等に付着する危険性を有しており、また、液体式電気蚊取り器にあっては、別体の加熱揮散器を必要とする上に、火災の危険性や電源のある場所でしか使用できないといった問題がある。
【０００５】
【発明が解決しようとする課題】
そこで本発明は、上記問題を解決するためになされたものであって、使用時までは殺虫、防虫、害虫忌避、芳香、消臭等の常温揮散性薬液が収容された包装体を収納すると共に、使用時には手指に薬液が付着することなく包装体をワンアクションで開封することができ、一定期間常温揮散性薬液を安定して徐々に空気中に放出することができる容器を提供することである。
【０００６】
【課題を解決するための手段】
本発明者は、上記課題を達成するために、請求項１記載の本発明は、天壁に少なくとも切欠窓と側壁に水平なスリット状開口部と底壁の内面に前記スリット状開口部と平行な凸部とを有する容器本体と、前記スリット状開口部から突出する摘まみ部を有する本体部の他端にヒンジ部を介して前記底壁側に折返された脚部と前記脚部の前記ヒンジ部側に前記脚部から突出する先尖りの突起部とを有する板状部材と、前記底壁の内面に敷設される吸液保持材と、前記板状部材上に置かれる常温揮散性薬液入り包装体とを備えた容器において、前記板状部材の脚部は前記ヒンジ部と対向する端部が前記凸部と係合し、前記摘まみ部を前記スリット状開口部から乖離する方向に移動することにより前記端部を支点として前記脚部とこれから突出する前記突起部が前記凸部に当接する方向に回動することにより前記突起部が前記天壁に近接して前記突起部で前記包装体を破袋する構成としたことを特徴とするものである。このように構成することにより、使用時までは薬液入り包装体を収納すると共に、使用時には包装体を容易に破袋（開封）して薬液の流出を許容し、流出した薬液が容器本体の底壁内面に敷設された吸液保持材に吸液されると共に吸液保持材から薬液が徐々に揮散して切欠窓から空気中に放出され、殺虫、防虫、害虫忌避、芳香、消臭等の効果が発揮される。したがって、使用時にはワンアクションの操作で使用状態にセットすることができると共に、手指等に薬液が付着することがない。また、火災の危険性がなく、使用場所を選ぶことがない。
【０００７】
また、請求項２記載の本発明は、請求項１記載の容器において、前記包装体は、上面とその略中央部に形成された薬液を収容する凹部とを備えた成形体と、該成形体の前記上面と熱接着することにより前記凹部を密封するように設けられるシート状蓋体とから構成され、前記シート状蓋体が前記板状部材と当接して置かれていることを特徴とするものである。このように構成することにより、一層容易に破袋（開封）可能な包装体とすることができる。
【０００８】
【発明の実施の形態】
上記の本発明について、図面等を用いて以下に詳述する。
図１は本発明にかかる容器の一実施例を示す概略斜視図、図２は図１の容器に用いる容器本体の（ａ）は蓋部材の斜視図、（ｂ）底部材の一部切欠斜視図、図３は本発明にかかる容器に用いる板状部材の一実施例を示す斜視図、図４は図１のＸ−Ｘ線断面図、図５は本発明にかかる容器の使用方法を説明する図４に対応する図であり、図中の１は容器、２は容器本体、３はスリット状開口部、４は板状部材、５は吸液保持材、６は包装体、２０は蓋部材、２１は底部材、２２は側壁、４０は本体部、４１は摘まみ部、４２はヒンジ部、４３はＶ字状切欠、４４は突起部、４５は脚部、４６は押込み防止兼位置決め突起、４７はストッパー、６１は成形体、６２はシート状蓋体、２０１は天壁、２０２は切欠窓、２０３，２１３は周壁、２０４，２１４は切欠、２１５は凸部をそれぞれ示す。
【０００９】
図１は本発明にかかる容器の一実施例を示す概略斜視図であって、容器１は天壁２０１に切欠窓２０２を有すると共に側壁２２の一つに水平なスリット状開口部３を有する略直方体形状の容器本体２の前記スリット状開口部３から後述する板状部材４の摘まみ部４１を突出させたものである。
【００１０】
図２は図１の容器に用いる容器本体の（ａ）は蓋部材の斜視図、（ｂ）は底部材の一部切欠斜視図であって、前記容器本体２は天壁２０１とその周縁に周壁２０３を備えた蓋部材２０と、底壁２１１とその周縁に周壁２１３を備えた底部材２１とからなり、図示はしないが、たとえば、蓋部材２０と底部材２１の周壁２０３、２１３のそれぞれの４つの角部に設けた凹凸嵌合部で蓋部材２０と底部材２１とを嵌合することにより一体化して容器本体２となるように構成されている。また、蓋部材２０と底部材２１の周壁２０３、２１３には切欠２０４、２１４が設けられ、蓋部材２０と底部材２１とを嵌合することにより一体化して容器本体２となしたときに、周壁２０３、２１３により側壁２２（図１参照）が形成されると共に切欠２０４、２１４が協働して容器本体２の側壁２２（図１参照）にスリット状開口部３（図１参照）を形成するように構成されている。また、底部材２１には底壁２１１の内面に前記スリット状開口部と平行な凸部２１５が突出形成されると共に、前記凸部２１５を除く底壁２１１の内面に吸液保持材５が敷設されている。
【００１１】
前記容器本体２を形成する前記蓋部材２０および前記底部材２１は合成樹脂からなる射出成形品であって、射出形成可能な樹脂であれば特に限定するものではないが、たとえば、ポリエチレン、ポリプロピレン、ポリエステル等を挙げることができ、必要に応じて着色することもできる。また、無着色、着色いずれにおいても透明性を有するように構成することにより、後述する包装体６の開封を目視で確認することができるという利便性を付与することができる。なお、天壁２０１に設ける切欠窓２０２は、後述するが、前記吸液保持材５に吸液された薬液を容器１から室内等の空気中に揮散するために形成されているものであって、前記切欠窓２０２は図１に示した個数に限ることはなく、適当数設ければよいものである。また、前記切欠窓２０２は薬液が吸液された吸液保持材５を指で触り、その指を舐める可能性のある乳幼児等の指が入らない程度の大きさに設計して、乳幼児等が薬液に触れることがないように構成するのが望ましい。また、吸液保持材５としては吸液性があり、そこから薬液が徐々に揮散できるような材料であれば特に限定するものではなく、たとえば、フェルト、不織布、紙、布等を挙げることができる。
【００１２】
図３は本発明にかかる容器に用いる板状部材の一実施例を示す斜視図であって、板状部材４は摘まみ部４１を一端に有する本体部４０の他端にヒンジ部４２を介して前記摘まみ部４１側に先細りのＶ字状切欠４３により形成されたＶ字状突起部４４を有する脚部４５が設けられると共に、前記本体部４０の前記摘まみ部４１側の両側端に押込み防止兼位置決め突起４６と前記本体部４０の前記押込み防止兼位置決め突起４６より前記脚部４５側の両側端にストッパー４７が設けられているものである。
【００１３】
前記板状部材４は合成樹脂からなる射出成形品であって、射出形成が可能であり、ヒンジ部４２での折り曲げ適性を有し、剛性のある樹脂であれば特に限定するものではないが、たとえば、ポリプロピレン（より好ましくはホモポリプロピレン）、耐衝撃性ポリスチレン、ＡＢＳ等が適当であり、必要に応じて着色することもできる。
【００１４】
次に、本発明の容器１の組立方法について説明する。図４は図１のＸ−Ｘ線の概略断面図であって、容器１は、まず底部材２１の凸部２１５を除く底壁２１１の内面に吸液保持材５が敷設され、次に図３に示す板状部材４の脚部４５がヒンジ部４２で折返されて前記ヒンジ部４２側に先尖りの突起部４４が突出形成され、前記脚部４５の前記ヒンジ部４２と対向する端部が前記底部材２１の底壁に突出形成した凸部２１５と当接すると共に前記底部材２１の周壁２１３に設けた切欠２１４に前記板状部材４の本体部４０の前記押込み防止兼位置決め突起４６と前記底部材２１の周壁２１３とが係合するように挿入することにより、前記板状部材４が位置決めされて前記底部材２１に組込まれる。そして、前記板状部材４上に前記底部材２１の周壁２１３で囲まれた大きさに略等しい大きさを有する常温揮散性薬液入り包装体６がセットされ、その後に蓋部材２０が底部材２１に被せられると共に、図示はしないが、蓋部材２０と底部材２１の周壁２０３、２１３のそれぞれの４つの角部に設けた凹凸嵌合部で蓋部材２０と底部材２１とを嵌合することにより組立は完了する。なお、前記板状部材４の押込み防止兼位置決め突起４６は上記したように容器１の組立時の底部材２１に対する位置決めに用いられると共に、前記先尖りの突起部４４の薬液入り包装体６に対する位置を規制する機能を有し、これにより前記板状部材４上に置かれる包装体６を確実に破袋（開封）することができる。
【００１５】
次に、前記板状部材４上に置かれる常温揮散性薬液入り包装体６について説明する。薬液入り包装体６は上面とその略中央部に形成された薬液を収容する凹部とを備えた成形体６１（図４参照）と、該成形体６１（図４参照）の前記上面と熱接着することにより前記凹部を密封するように設けられるシート状蓋体６２とから構成されているものである。成形体６１は、合成樹脂を射出成形することにより成形された射出成形品であってもよいし、合成樹脂シートを真空および／ないし圧空成形することにより成形された絞り成形品であってもよいし、また、金属箔をプレス成形することにより成形されたプレス成形品であってもよいが、射出成形品や絞り成形品にあっては包装体６としたときに包装体６からの薬液の揮散を一定期間防止する必要があり、特に水蒸気ガスバリアー性に優れた構成とする必要がある。また、シート状蓋体６２は、上記した成形体６１と同様に水蒸気ガスバリアー性が求められると共に、後述するが板状部材４に設けた先尖り突起部４２で突刺すことにより穴が開けられて開封されるために、易突刺し性に構成しておく必要がある。また、成形体６１とシート状蓋体６２とは熱接着することにより密封されるために、成形体６１とシート状蓋体６２との熱接着面は熱接着可能に構成しておく必要がある。上記要件を満たす成形体６１としては、たとえば、プロピレン樹脂からなる射出成形品、あるいは、ポリプロピレン（ＰＰ）シートやＰＰ／エチレン−ビニルアルコール共重合体／ＰＰからなる共押出しシートの絞り成形品やアルミニウム箔の一方の面に熱接着性樹脂層を設けたプレス成形品などを挙げることができ、また、シート状蓋体６２としては、アルミニウム箔／熱接着性樹脂層、二軸延伸ポリエチレンテレフタレート（ＰＥＴ）／エチレン−ビニルアルコール共重合体シート／熱接着性樹脂層（ＰＰシート等）、ＰＥＴ／アルミニウム箔／熱接着性樹脂層（ＰＰシート等）などを挙げることができる。なお、薬液入り包装体６は、上記した成形品が最も好ましいものであるが、これ以外に、たとえば、三方シールや四方シールタイプ等の包装袋であってもよいものである。
【００１６】
次に、本発明の容器の使用方法について説明する。
本発明の容器１は使用者が使用する時までは、図４に示す状態で紙箱等の外装に収納されて保護されている。使用者は、まず紙箱等の外装から容器１を取り出す。そして、容器１の設置場所で容器本体２と該容器本体２から突出した板状部材４の摘まみ部４１とを手指で掴むと共に前記摘まみ部４１を開口部３から乖離する方向に引っ張る。このように操作することにより、図５に示すように前記板状部材４の脚部４５のヒンジ部４２と対向する端部が底部材２１に設けた凸部２１５と係合することにより、前記端部を支点にして前記脚部４５が前記凸部２１５側に回動し、これに伴い前記脚部４５の前記ヒンジ部４２側に前記脚部４５から突出するように設けた先尖りの突起部４４も回動して薬液入り包装体６のシート状蓋体６２を突き破り、前記包装体６を開封する。これにより薬液入り包装体６内の薬液（図示せず）は自然流下して底部材２１の底壁２１１に敷設された吸液保持材５に吸液されると共に、吸液保持材５に吸液された薬液が吸液保持材５から徐々に揮散され、蓋部材２０の天壁２０１に設けた切欠窓２０２から空気中に放出され、殺虫、防虫、害虫忌避、芳香、消臭等の効果が一定期間発揮される。このように、使用時にはワンアクションの操作で使用状態にセットすることができると共に、手指等に薬液が付着することがなく極めて衛生的かつ安全である。また、火災等の危険性がなく、場所を選ぶこともない。
【００１７】
また、前記板状部材４に設けたストッパー４７は、薬液入り包装体６を開封する操作をした際に薬液の付着した前記板状部材４が前記容器本体２のスリット状開口部３から抜けないように前記スリット状開口部３を形成する側壁２２の内面と当接するように設けられているものである。
【００１８】
【発明の効果】
以上縷々説明したように、本発明の容器は、使用時までは殺虫、防虫、害虫忌避、芳香、消臭等の常温揮散性薬液が収容された包装体を収納すると共に、使用時には手指に薬液が付着することなく包装体をワンアクションで開封することができ、極めて衛生的かつ安全である、また、吸液保持材に吸液された薬液は吸液保持材から徐々に揮散され、容器に設けた切欠窓から空気中に放出されるために一定期間安定して殺虫、防虫、害虫忌避、芳香、消臭等の効果を発揮する、という顕著な効果を奏するものである。
【図面の簡単な説明】
【図１】  本発明にかかる容器の一実施例を示す概略斜視図である。
【図２】  図１の容器に用いる容器本体の（ａ）は蓋部材の斜視図、（ｂ）底部材の一部切欠斜視図である。
【図３】  本発明にかかる容器に用いる板状部材の一実施例を示す斜視図である。
【図４】  図１のＸ−Ｘ線断面図である。
【図５】  本発明にかかる容器の使用方法を説明する図４に対応する図である。
【符号の説明】
１                    容器
２                    容器本体
３                    スリット状開口部
４                    板状部材
５                    吸液保持材
６                    包装体
２０                  蓋部材
２１                  底部材
２２                  側壁
４０                  本体部
４１                  摘まみ部
４２                  ヒンジ部
４３                  Ｖ字状切欠
４４                  突起部
４５                  脚部
４６                  押込み防止兼位置決め突起
４７                  ストッパー
６１                  成形体
６２                  シート状蓋体
２０１                天壁
２０２                切欠窓
２０３，２１３        周壁
２０４，２１４        切欠
２１５                凸部
【図１】
0003827993.tif 000002
【図２】
0003827993.tif 000003
【図３】
0003827993.tif 000004
【図４】
0003827993.tif 000005
【図５】
0003827993.tif 000006